(57)【特許請求の範囲】
【請求項１】
熱可塑性樹脂製の箱棒３と蝶棒４をそれぞれファスナーストリンガー１、１の端部に装着し、箱棒３と蝶棒４の側方にそれぞれ肉薄のガイド部５、該ガイド部５の側方に隆起状の補強条部６を一体に設け、箱棒３の先端から補強条部６の先端にわたって隆起するストッパー７をガイド部５の上面に形成してなることを特徴とするスライドファスナーの開離嵌挿具。
【請求項２】
ストッパー７は逆ヘ字状で補強条部６よりも高く隆起し、補強条部６はファスナーテープ２の表裏両面へ隆起する形に形成してなる請求項１記載のスライドファスナーの開離嵌挿具。
【請求項３】
箱棒３および蝶棒４の側方に設けたガイド部５は少なくともスライダー１６のフランジ１７が滑動できる間隔に形成してなる請求項１記載のスライドファスナーの開離嵌挿具。
【請求項４】
箱棒３と補強条部６の間に横設したストッパー７は、その中間部に段差部１０を設け、補強条部６側を高く、箱棒３側を低く隆起する形に形成してなる請求項１記載のスライドファスナーの開離嵌挿具。
【請求項５】
ファスナーテープ２の端部両面に熱可塑性樹脂フィルムを溶着して補強部８を形成し、該補強部８の表裏両面に補強条部６、片面に箱棒３、ガイド部５、ストッパー７、また蝶棒４、ガイド部５をそれぞれ一体成形してなる請求項１乃至４のいずれか一項に記載のスライドファスナーの開離嵌挿具。
【請求項６】
ファスナーテープ２の端部両面に熱可塑性樹脂フィルムを溶着して補強部８を形成し、該補強部８の表裏両面に箱棒３、ガイド部５、ストッパー７、補強条部６、また蝶棒４、ガイド部５、補強条部６をそれぞれ表裏対称状に一体成形してなる請求項１乃至４のいずれか一項に記載のスライドファスナーの開離嵌挿具。
【請求項７】
略方形の箱体１８で中央に仕切部１９を設け、一方に箱棒挿入孔２２、他方に蝶棒挿入孔２３を形成し、箱棒挿入孔２２および蝶棒挿入孔２３の側方にファスナーテープ２の挿入溝２１を設け、箱棒挿入孔２２における挿入溝２１の先端に挿入溝２１より広いストッパー７の係止孔２４を連設し、該箱体１８に箱棒３を嵌挿し、係止孔２４へストッパー７を係止させるとともに、箱体１８と箱棒３との上下対向面を溶着してなる請求項１乃至６のいずれか一項に記載のスライドファスナーの開離嵌挿具。
【請求項８】
箱棒３を装着したファスナーストリンガー１に、逆開き用スライダー１６と上開き用スライダー１６とを反突き合せ状に挿通し、逆開き用スライダー１６のフランジ１７の先端をガイド部５の面上に突設したストッパー７に当接可能に形成してなる請求項１乃至６のいずれか一項に記載のスライドファスナーの開離嵌挿具。
【発明の詳細な説明】
【０００１】
【発明の属する技術分野】
この発明は、スライドファスナーの開離嵌挿具における箱体または逆開き用スライダーを用いることによって、即座に上開き用の開離嵌挿具を備えたスライドファスナー、または両開き用の開離嵌挿具を備えたスライドファスナーに兼用できるオープンタイプのスライドファスナーに関するものである。
【０００２】
【従来の技術】
従来のこの種のオープンタイプのスライドファスナーは、たとえば図１１に示すように、左右のファスナーストリンガーの端部にプラスチックの補強板を形成し、この補強板の側端に箱棒または蝶棒をそれぞれ装着し、箱棒の上面に隆起部を設け、この隆起部の下端に突起を形成し、また箱棒の側方における補強板に長方形の嵌合凹部を設け、一方箱体の側面についたて板を設けて、補強板の嵌合凹部に嵌合させ、また箱体の上板の裏面外端に凹陥段部を設けて箱棒の下端に設けた突起を嵌合させ、箱棒と箱体とを固定する逆開き兼用の開離嵌挿具が実公昭５５−４４４９４号公報に開示されている。
【０００３】
さらに、図１２に示すように、熱可塑性樹脂製の逆開き用の開離嵌挿具において、箱棒の側方で外側縁部の端部にＬ字状に隆起するストッパーを一体成形し、逆開き用のスライダーのフランジの先端が当接できるように形成した逆開き用の開離嵌挿具が実公昭６１−４４６４７号公報に開示されている。
【０００４】
【発明が解決しようとする課題】
前項で述べた図１１に示した逆開き兼用の開離嵌挿具は、開離嵌挿具における箱棒と箱体との固定は、箱棒の側方の補強板に設けた嵌合凹部と箱体の側面に設けたついたて板の下端を嵌合させるとともに、箱体の上板の裏面に設けた凹陥段部に箱棒の上面に設けた突起を嵌合させることによって、箱体と箱棒とを固定するが、固定機構は単なる嵌合手段であるから不安定で手荒い使用に対しては破損するおそれがある。また逆開きの開離嵌挿具として使用する場合には、逆開きに適用するスライダーが、スライダーの上翼板の裏面に箱棒の上面に設けた突起と嵌合できる凹陥段部を備えた特定のスライダーでなければ通用せず、逆開きの製品の場合、通常のスライダーすなわち上開き用スライダーと同一タイプのスライダーを使用することができないなど問題点がある。
【０００５】
次に図１２に示した開離嵌挿具は、逆開き専用の開離嵌挿具であって、箱体を取付ける形態の開離嵌挿具に即応できないこと、また箱棒、蝶棒の側方の外側縁部が平坦であるから開離嵌挿操作の際、ファスナーチェンを掴み難く円滑な操作が望めないなど問題点がある。
【０００６】
この発明は、上述の問題点を考慮して発明されたものであり、請求項１記載の発明は、開離嵌挿具を配した部分のファスナーチェンの掴持が容易にでき、円滑に逆開き操作、また開離嵌挿操作が行え、そのうえ逆開き用スライダーを的確にストップできる両開きタイプのスライドファスナー、および上開きタイプのスライドファスナーを需要に応じて即座に対処し供給できるスライドファスナーの開離嵌挿具を提供することが主たる目的である。
【０００７】
請求項２記載の発明は、請求項１記載の発明の目的に加え、逆開き用スライダーがファスナーチェンの終端において、開離嵌挿具を閉鎖方向すなわち横方向へ確実にガイドするとともに、逆開き用スライダーの停止機能の向上を図り、かつ端部の体裁のよいスライドファスナーの開離嵌挿具を提供することが目的である。
【０００８】
請求項３記載の発明は、請求項１記載の発明の目的に加え、逆開き用スライダーの摺動が円滑に行えるガイド部分であって、かつ箱体の装着に支障をきたすことのないガイド部分を備えたスライドファスナーの開離嵌挿具を提供することが目的である。
【０００９】
請求項４記載の発明は、請求項１記載の発明の目的に加え、箱体を簡易に箱棒へ挿入することができる箱体の装着作業の容易性を図るとともに、逆開き用スライダーの停止機能には支障をきたさないスライドファスナーの開離嵌挿具を提供することが目的である。
【００１０】
請求項５記載の発明は、請求項１乃至４のいずれか一項に記載の発明の目的に加え、開離嵌挿具を装着する個所におけるファスナーチェンの補強を図り、かつファスナーチェンの端部を容易に掴持することができ、そのうえ円滑な開離嵌挿操作が行えるファスナーエレメントがファスナーテープの片面に装着されたタイプのスライドファスナーに適した開離嵌挿具を提供することが目的である。
【００１１】
請求項６記載の発明は、請求項１乃至４のいずれか一項に記載の発明の目的に加え、開離嵌挿具を装着する個所におけるファスナーチェンの補強を図り、かつファスナーチェンの端部を容易に掴持することができ、そのうえ円滑な開離嵌挿操作が行えるファスナーエレメントがファスナーテープの両面に突出して装着されたタイプのスライドファスナーに適した開離嵌挿具を提供することが目的である。
【００１２】
請求項７記載の発明は、請求項１乃至６のいずれか一項に記載の発明の目的に加え、箱体をファスナーストリンガーの端部に強固に固定したスライドファスナーの開離嵌挿具を提供することが目的である。
【００１３】
請求項８記載の発明は、請求項１乃至６のいずれか一項に記載の発明の目的に加え、逆開き用スライダーと上開き用スライダーとを用いたスライドファスナーの開離嵌挿具を提供することが目的である。
【００１４】
【課題を解決するための手段】
前記の目的を達成するため、この発明のうち請求項１記載の発明は、熱可塑性樹脂を用いて射出成形または押出成形手段により、箱棒３と蝶棒４をそれぞれファスナーストリンガー１、１の端部に成形するとともに、箱棒３と蝶棒４の側方にそれぞれ肉薄のガイド部５、そしてこのガイド部５の側方に隆起状を呈する補強条部６を一体成形し、箱棒３の先端から補強条部６の先端にわたって隆起するストッパー７をガイド部５の上面に一体成形したスライドファスナーの開離嵌挿具を主な構成とするものである。
【００１５】
請求項２記載の発明は、請求項１記載の発明の構成に加え、箱棒３と補強条部６の間に横設するストッパー７は、逆ヘ字状を呈し、そして補強条部６よりも高く隆起する形態に形成するとともに、補強条部６はファスナーテープ２の表裏両面へ隆起する形態に一体成形したスライドファスナーの開離嵌挿具である。
【００１６】
請求項３記載の発明は、請求項１記載の発明の構成に加え、箱棒３および蝶棒４の側方に設けた肉薄のガイド部５は少なくともスライダー１６のフランジ１７が滑動できる間隔で箱棒３または蝶棒４と補強条部６の間に一体成形したスライドファスナーの開離嵌挿具である。
【００１７】
請求項４記載の発明は、請求項１記載の発明の構成に加え、箱棒３と補強条部６の間に横設したストッパー７は、ストッパー７の中間部において段差部１０を形成し、補強条部６側を高く、箱棒３側を低く隆起する形態に一体成形したスライドファスナーの開離嵌挿具である。
【００１８】
請求項５記載の発明は、請求項１乃至４のいずれか一項に記載の発明の構成に加え、一対のファスナーテープ２の端部における両面に熱可塑性樹脂フィルムを超音波加工などにより溶着して補強部８を形成し、左右のファスナーストリンガー１における補強部８の表裏両面に補強条部６を形成し、一方のファスナーストリンガー１の補強部８の表面に箱棒３、ガイド部５およびストッパー７を一体成形し、他方のファスナーストリンガー１の補強部８の表面に蝶棒４、ガイド部５を一体成形したスライドファスナーの開離嵌挿具である。
【００１９】
請求項６記載の発明は、請求項１乃至４のいずれか一項に記載の発明の構成に加え、一対のファスナーテープ２の端部における両面に熱可塑性樹脂フィルムを超音波加工などにより溶着して補強部８を形成し、一方のファスナーストリンガー１の補強部８の表裏両面に箱棒３、ガイド部５、ストッパー７、補強条部６を一体成形し、他方のファスナーストリンガー１の補強部８の表裏両面に蝶棒４、ガイド部５、補強条部６を一体成形し、それぞれ表裏対称状に成形したスライドファスナーの開離嵌挿具である。
【００２０】
請求項７記載の発明は、請求項１乃至６のいずれか一項に記載の発明の構成に加え、略方形の箱体１８であって、その中央に仕切部１９を設けて一方に箱棒挿入孔２２、他方に蝶棒挿入孔２３を形成し、箱棒挿入孔２２および蝶棒挿入孔２３の側方に一条のファスナーテープ２の挿入溝２１を設け、箱棒挿入孔２２における挿入溝２１の先端に挿入溝２１より広いストッパー７を係止する係止孔２４を連設し、この箱体１８に箱棒３を嵌挿し、箱体１８の係止孔２４にストッパー７を係止させるとともに、箱体１８と箱棒３との上下対向面を超音波加工などによって溶着したスライドファスナーの開離嵌挿具である。
【００２１】
請求項８記載の発明は、請求項１乃至６のいずれか一項に記載の発明の構成に加え、箱棒３を装着したファスナーストリンガー１に逆開き用スライダー１６と上開き用スライダー１６とを反対向き、すなわち反突き合せ状に挿通し、逆開き用スライダー１６におけるフランジ１７の先端をガイド部５の面上に突設したストッパー７に当接可能に形成したスライドファスナーの開離嵌挿具である。
【００２２】
【発明の実施の形態】
以下、この発明のスライドファスナーの開離嵌挿具の実施の形態について、図面を参照しながら具体的に説明する。
【００２３】
この発明の開離嵌挿具は、逆開きにも兼用できる開離嵌挿具であり、図１に示すように左右のファスナーストリンガー１、１は、それぞれファスナーテープ２、２の端部に箱棒３または蝶棒４を成形するため、ポリアミド、ポリエチレンなどの熱可塑性樹脂フィルム、あるいはラミネートされた熱可塑性樹脂フィルムをファスナーテープ２に超音波加工などによって溶着して補強部８を形成するか、またはファスナーテープ２に熱可塑性樹脂液を浸透固化させて補強部８を形成し、ファスナーテープ２の端部を強固に固定させて補強する。
【００２４】
補強加工は次のようにして行う。ファスナーテープ２の側縁に縫糸２６によってコイル状ファスナーエレメント１２を縫着し、コイル状ファスナーエレメント１２は、ポリアミド、ポリエステルなどの合成繊維のモノフィラメントから成形し、コイル状ファスナーエレメント１２はファスナーテープ２の先端部分をカットしてファスナーテープ２から除去し、カットされた部分に残存する芯紐２５、縫糸２６を熱可塑性樹脂フィルムが包被する形で補強部８を成形する。
【００２５】
この補強部８の内側すなわちコイル状ファスナーエレメント１２側の先端部分を適宜大きさで切欠し、この切欠した部分に箱棒３または蝶棒４を成形する。箱棒３は直方体であってコイル状ファスナーエレメント１２と略同高でコイル状ファスナーエレメント１２の連結部１４の外側と略一致し、側端はファスナーテープ２の側縁と略一致する形で成形するとともに、箱棒３の側方に隣接して肉薄でスライダー１６のフランジ１７が自由に滑動できる間隔を有するガイド部５を成形し、このガイド部５の側方に隣接してファスナーテープ２の表裏に隆起する箱棒３よりは高さが低い直方体の補強条部６を箱棒３と平行状に成形するとともに、箱棒３の先端と補強条部６の先端にわたって箱棒３よりは高さが低く補強条部６よりは高い逆ヘ字状を呈するストッパー７をガイド部５の上面に成形する。
【００２６】
箱棒３の上面における先端半部に複数個の小突起９を突設し、この小突起９は逆開き用スライダー１６が支障なく自由に摺動できる高さに成形し、箱体１８との溶融接合ができるように形成する。また箱棒３の先端はやや内方へ屈折し箱体１８のフランジ２０、または逆開き用スライダー１６のフランジ１７を側方へガイドする。
【００２７】
この箱棒３、ガイド部５、補強条部６およびストッパー７は、ポリアセタール、ポリアミド、ポリプロピレン、ポリプチレンテレフタレートなどの熱可塑性樹脂を用いて、射出成形加工または押出成形加工によって一体成形で形成する。
【００２８】
一方、蝶棒４も箱棒３と同様にファスナーテープ２の端部にコイル状ファスナーエレメント１２を除去して形成した補強部８の一部を切欠し、この切欠部分にコイル状ファスナーエレメント１２と略同高でコイル状ファスナーエレメント１２の連結部１４の外側と略一致し、側端はファスナーテープ２の側縁と略一致する形で直方体の蝶棒４を成形する。そして蝶棒４の側方に隣接して肉薄でスライダー１６のフランジ１７が自由に滑動できる間隔を有するガイド部５を成形し、ガイド部５の側方に隣接してファスナーテープ２の表裏に隆起する蝶棒４よりは高さが低くガイド部５よりは高い直方体の補強条部６を蝶棒４と略平行に成形する。
【００２９】
成形される蝶棒４の先端は内側へやや湾曲し、かつ補強条部６における蝶棒４との対向壁も多少凹欠され箱体１８または逆開き用のスライダー１６に嵌挿し易く形成されている。そして併設される蝶棒４、ガイド部５および補強条部６は前記箱棒３などと同様の熱可塑性樹脂を用いて、射出成形加工または押出成形加工によって一体成形で形成されている。
【００３０】
箱棒３に嵌装する箱体１８は、図２乃至４に示すように、外形が略方形で両側のフランジ２０にはファスナーテープ２が挿入でき、前記ストッパー７の厚さよりやや狭い挿入溝２１を設けるとともに、中央に仕切部１９を設けて左右に箱棒挿入孔２２、蝶棒挿入孔２３を設けている。そして箱棒挿入孔２２におけるフランジ２０の挿入溝２１の最深部に表面へ向けて拡張する係止孔２４が設けられ、この係止孔２４は箱棒３と補強条部６にかけてガイド部５の上面に突設したストッパー７を嵌入できるように形成されている。
【００３１】
なお、箱体１８の箱棒挿入孔２２の天井部分に数条の小突部を設けて箱棒３との溶着ができるように形成することもできる。この場合箱棒３の上面に小突起９を設けなくとも箱体１８と箱棒３とを超音波溶接することができる。
【００３２】
箱棒３に対する箱体１８の装着手段は、箱体１８の箱棒挿入孔２２に箱棒３をあてがうとともに、箱棒挿入孔２２のフランジ２０に設けた挿入溝２１に対し、ガイド部５の端部に突設したストッパー７をあてがい、箱体１８を押圧して挿入溝２１を無理に押し拡げて挿入し、挿入溝２１の最深部に設けた係止孔２４をストッパー７に嵌入して箱体１８を固定した後、箱体１８の表面から超音波加工を施すことによって、箱棒３の上面に突設した小突起９を箱体１８に溶着し、箱体１８を箱棒３に強固に固定して開離嵌挿具が完成する。
【００３３】
スライドファスナーの開離嵌挿操作は、まず一方のファスナーストリンガー１に固定された箱体１８に上開き用スライダー１６を摺動し衝合させた後、他方のファスナーストリンガー１に装着された補強条部６を掴んで蝶棒４を上開き用スライダー１６の肩口から挿入し、箱体１８の蝶棒挿入孔２３にまで挿入した後に、上開き用スライダー１６を上止側へ摺動させてスライドファスナーを閉鎮させる。
【００３４】
スライドファスナーの開離操作は、上開き用スライダー１６を箱体１８に向け摺動させ衝合させた後、補強条部６を掴んで蝶棒４を箱体１８および上開き用スライダー１６から抜脱すれば、スライドファスナーは左右のファスナーストリンガー１、１に分離することができる。
【００３５】
次に逆開き開離嵌挿具は、図５に示すように、上開き用スライダー１６と逆開き用スライダー１６とを箱棒３を装着したファスナーストリンガー１に挿通すればよい。そして上開き用スライダー１６と逆開き用スライダー１６とは同タイプのスライダーを用いればよい。まず逆開き用スライダー１６の肩口から箱棒３を装着したファスナーストリンガー１の上止側より箱棒３側へ向けて挿通し、逆開き用スライダー１６のフランジ１７をガイド部５に沿って挿入してストッパー７に当接させて嵌装し、その後で上開き用スライダー１６を後口からファスナーストリンガー１に挿通し、逆開き用スライダー１６とは逆向きに対接して逆開きの開離嵌挿具は完成する。
【００３６】
スライドファスナーの逆開きの開離嵌挿操作は、まず一方のファスナーストリンガー１に嵌装された逆開き用スライダー１６を箱棒３と補強条部６とにわたってガイド部５上に突設したストッパー７にフランジ１７が当接して停止するまで摺動させ、しかる後に上開き用スライダー１６を逆開き用スライダー１６に当接するまで摺動させて衝合し、この状態で上開き用スライダー１６の肩口から他方のファスナーストリンガー１の蝶棒４を挿入し、逆開き用スライダー１６の後口から蝶棒４を停止するまで挿入させ、挿入後上開き用スライダー１６を上止側へ摺動させ、または逆開き用スライダー１６を摺動させる。
【００３７】
スライドファスナーの開離操作は、逆開き用スライダー１６をストッパー７まで下げ、また上開き用スライダー１６を逆開き用スライダー１６に衝合させた後、蝶棒４を双方のスライダー１６、１６から抜脱すればスライドファスナーは左右のファスナーストリンガー１、１に分離することができる。
【００３８】
次に開離嵌挿具におけるストッパーの変形例を図６に示すように、箱棒３の先端を補強条部６の先端にわたって横設したストッパー７が中間部において段差部１０を設けていることである。段差部１０は箱棒３側を低く補強条部６側を高く形成したところに特徴があり、箱体１８は図７に示すように前例と同一形態であり、箱体１８の装着も同様の手順で行い、フランジ２０に設けた挿入溝２１をストッパー７に圧入し、挿入溝２１の最深部に設けた係止孔２４をストッパー７に嵌入した後、箱体１８の上面から超音波加工を施して、箱棒３の上面の小突起９を溶着して固定する。
【００３９】
また逆開き用スライダー１６は、ファスナーストリンガー１に挿通し蝶棒４を挿入したとき、図８に示すように逆開き用スライダー１６におけるフランジ１７の先端はストッパー７の分厚く形成された補強条部６側の突部に衝合し、逆開き用スライダー１６を的確かつ強固に保持できる。
【００４０】
開離嵌挿具の他の変形例を説明すると、図９、１０に示すように、ファスナーエレメント１１としてファスナーテープ２の両面へ突出する単体のファスナーエレメント１３をファスナーテープ２の側縁に装着したスライドファスナーに適する開離嵌挿具であって、この開離嵌挿具は左右のファスナーストリンガー１の端部に単体ファスナーエレメント１３を除去した部分のファスナーテープ２に熱可塑性樹脂フィルムなどを溶着して形成した補強部８を設ける。
【００４１】
一方のファスナーストリンガー１における補強部８に単体ファスナーエレメント１３に接続して横断面が角柱状の箱棒３をファスナーテープ２の表裏に突出する形状で成形し、この箱棒３の側方に隣接して箱棒３より肉薄で逆開き用スライダー１６のフランジ１７が自由に滑動できる間隔のガイド部５をファスナーテープ２の表裏に成形し、このガイド部５の側方に隣接して箱棒３よりは薄くガイド部５よりは厚い補強条部６をファスナーテープ２の表裏両面に対称的に成形するとともに、箱棒３の先端から補強条部６の先端にわたってガイド部５の面上に箱棒３側が薄く補強条部６側が箱棒３と同厚の厚みで、中央に段差部１０のある逆へ字状に隆起するストッパー７をファスナーテープ２の表裏に成形する。
【００４２】
また、蝶棒４も箱棒３と同様に他方のファスナーストリンガー１の補強部８に単体ファスナーエレメント１３に接続して蝶棒４をファスナーテープ２の表裏、たとえば図１０に示すように隆起する横断面が角柱状の形状に成形する。そして蝶棒４の側方に隣接して肉薄の板状で逆開き用スライダー１６のフランジ１７が自由に滑動できる間隔のガイド部５をファスナーテープ２の表裏に成形し、このガイド部５の側方に隣接して、ガイド部５よりは厚く蝶棒４よりは薄い横断面が角柱状の補強条部６を成形して、蝶棒４を装備したファスナーストリンガー１を形成する。
【００４３】
一方のファスナーストリンガー１における補強部８上に成形する箱棒３、ガイド部５、補強条部６、ストッパー７、および他方のファスナーストリンガー１における補強部８上に成形する蝶棒４、ガイド部５、補強条部６は、それぞれ熱可塑性樹脂を用いて射出成形加工または押出成形加工によって、表裏対称状に一体成形する。
【００４４】
箱棒３に嵌装する箱体１８は、図９、１０に示すように外形が略方形で両側のフランジ２０にガイド部５が挿入できるストッパー７の厚さよりやや狭い挿入溝２１がフランジ２０の中央に設け、箱棒３側の挿入溝２１の最深部に上下に拡張し、前記ストッパー７を嵌入できる係止孔２４が設けられている。
【００４５】
箱棒３と箱体１８の装着は、前記各例と同様であって、箱体１８のフランジ２０に設けた挿入溝２１をストッパー７にあてがい圧入し、挿入溝２１の最深部に形成した上下に拡張する係止孔２４にストッパー７を嵌入した後、箱体１８と箱棒３とを超音波加工などによって溶着固定し、上開きタイプの開離嵌挿具を完成させる。
【００４６】
箱棒３を装備したファスナーストリンガー１に、表裏対称形の逆開き用スライダー１６と上開き用スライダー１６とを反突き合せ状に挿通すれば、簡単に単体ファスナーエレメント１３からなる両開きの開離嵌挿具を備えたスライドファスナーが完成でき、開離嵌挿操作は前例と同一手順で行えばよい。
【００４７】
なお、各実施例とも上開き用スライダー１６、あるいは逆開き用スライダー１６をファスナーストリンガー１に挿通した後に、ファスナーストリンガー１に上止を装着するのがよい。
【００４８】
【発明の効果】
この発明のスライドファスナーの開離嵌挿具は、以上説明したとおりの構成であり、この構成によって下記の効果を奏する。
【００４９】
この発明のうち請求項１記載の発明は、熱可塑性樹脂製の箱棒と蝶棒をそれぞれファスナーストリンガーの端部に装着し、箱棒と蝶棒の側方にそれぞれ肉薄のガイド部、該ガイド部の側方に隆起状の補強条部を一体に設け、箱棒の先端から補強条部の先端にわたって隆起するストッパーをガイド部の上面に形成したことによって、特殊な形態のスライダーを用いることなく、通常のスライダー、すなわち上開き用スライダーと同一タイプのスライダーを逆開き用スライダーとして適用することができる。したがって開離嵌挿具を備えた上開きタイプのスライドファスナー、あるいは両開きタイプのスライドファスナーを需要に即応して供給することができ、生産性の向上が図れ、しかも開離嵌挿操作の際、ファスナーストリンガーを容易に掴むことができ円滑に操作を行うことができる効果がある。
【００５０】
請求項２記載の発明は、請求項１記載の発明の効果に加え、ストッパーは逆ヘ字状で補強条部よりも高く隆起し、補強条部はファスナーテープの表裏両面へ隆起する形で形成したことによって、逆開き用スライダーはファスナーチェンの終端において、開離嵌挿具を横方向へ締めつけるとともに、的確に停止し、かつファスナーストリンガーをよりた易く掴むことができる効果がある。
【００５１】
請求項３記載の発明は、請求項１記載の発明の効果に加え、箱棒および蝶棒の側方に設けたガイド部は少なくともスライダーのフランジが滑動できる間隔に形成したことによって、箱体の装着には支障をきたすことなく、逆開き用スライダーをファスナーチェンの終端において安定した滑動ができ、円滑な開離嵌挿操作あるいは両開き操作ができる効果がある。
【００５２】
請求項４記載の発明は、請求項１記載の発明の効果に加え、箱棒と補強条部の間に横設したストッパーは、その中間部に段差部を設け、補強条部側を高く、箱棒側を低く隆起する形に形成したことによって、逆開き用スライダーの停止機能には何ら支障をきたすことなく、箱体を容易に箱棒と結合させることができ、開離嵌挿具を簡易に作製できる効果がある。
【００５３】
請求項５記載の発明は、請求項１乃至４のいずれか一項に記載の発明の効果に加え、ファスナーテープの端部両面に熱可塑性樹脂フィルムを溶着して補強部を形成し、該補強部の表裏両面に補強条部、片面に箱棒、ガイド部、ストッパー、また蝶棒、ガイド部をそれぞれ一体成形したことによって、ファスナーエレメントがファスナーテープの片面に装着されたファスナーチェンの端部の補強を図るとともに、ファスナーチェンの端部を容易に掴むことができ、開離嵌挿操作および両開き操作が円滑に行える効果がある。
【００５４】
請求項６記載の発明は、請求項１乃至４のいずれか一項に記載の発明の効果に加え、ファスナーテープの端部両面に熱可塑性樹脂フィルムを溶着して補強部を形成し、該補強部の表裏両面に箱棒、ガイド部、ストッパー、補強条部、また蝶棒、ガイド部、補強条部をそれぞれ表裏対称状に一体成形したことによって、ファスナーエレメントがファスナーテープの両面に形成されたファスナーチェンの端部の補強を図るとともに、ファスナーチェンの端部を容易に掴むことができ、開離嵌挿操作および両開き操作が円滑に行える効果がある。
【００５５】
請求項７記載の発明は、請求項１乃至６のいずれか一項に記載の発明の効果に加え、略方形の箱体で中央に仕切部を設け、一方に箱棒挿入孔、他方に蝶棒挿入孔を形成し、箱棒挿入孔および蝶棒挿入孔の側方にファスナーテープの挿入溝を設け、箱棒挿入孔における挿入溝の先端に挿入溝より広いストッパーの係止孔を連設した箱体に箱棒を嵌挿し、係止孔へストッパーを係止させるとともに、箱体と箱棒との上下対向面を溶着したことによって、箱体をファスナーストリンガーの端部に強固に固定することができ、頑丈な開離嵌挿具を簡易に作製できる効果がある。
【００５６】
請求項８記載の発明は、請求項１乃至６のいずれか一項に記載の発明の効果に加え、箱棒を装着したファスナーストリンガーに逆開き用スライダーと上開き用スライダーとを反突き合せ状に挿通し、逆開き用スライダーのフランジの先端をガイド部の面上に突設したストッパーに当接可能に形成したことによって、ファスナーストリンガーに上開き用スライダーと逆開き用スライダーとを挿通し、逆開き用スライダーはフランジの先端で停止させる機能をもった便利な両開きのスライドファスナーを容易に作製できる効果があるなど、この発明が奏する効果はきわめて顕著である。
【図面の簡単な説明】
【図１】逆開き兼用ができる開離嵌挿具の斜視図である。
【図２】逆開き兼用ができる開離嵌挿具に箱体を装備した一部を切断して示す正面図である。
【図３】図２におけるＡ−Ａ断面図である。
【図４】図２におけるＢ−Ｂ断面図である。
【図５】逆開き兼用ができる開離嵌挿具に逆開き用スライダーを装備した一部を切断して示す正面図である。
【図６】ストッパーの変形例を示すファスナーストリンガーの斜視図である。
【図７】同上ファスナーチェンに箱体を装備した一部を切断して示す正面図である。
【図８】同上ファスナーチェンに逆開き用スライダーを装備した一部を切断して示す正面図である。
【図９】表裏対称形の開離嵌挿具を備えたファスナーチェンの一部を切断して示す正面図である。
【図１０】同上開離嵌挿具で箱体のみを切断して要部を示す底面図である。
【図１１】公知のスライドファスナーの開離嵌挿具の斜視図である。
【図１２】公知の逆開き用開離嵌挿具の一部を切断して示す正面図である。
【符号の説明】
１      ファスナーストリンガー
２      ファスナーテープ
３      箱棒
４      蝶棒
５      ガイド部
６      補強条部
７      ストッパー
８      補強部
１０      段差部
１１      ファスナーエレメント
１２      コイル状ファスナーエレメント
１３      単体ファスナーエレメント
１６      スライダー（含む上開き用スライダー、逆開き用スライダー）
１７      フランジ
１８      箱体
１９      仕切部
２１      挿入溝
２２      箱棒挿入孔
２３      蝶棒挿入孔
２４      係止孔
【図１】
0003620973.tif 000002
【図２】
0003620973.tif 000003
【図３】
0003620973.tif 000004
【図４】
0003620973.tif 000005
【図５】
0003620973.tif 000006
【図６】
0003620973.tif 000007
【図７】
0003620973.tif 000008
【図８】
0003620973.tif 000009
【図９】
0003620973.tif 000010
【図１０】
0003620973.tif 000011
【図１１】
0003620973.tif 000012
【図１２】
0003620973.tif 000013